(57)【要約】【課題】主軸の上下方向のがたつきをなくし、扉を安全に支持できるようにした扉の回転支持装置を提供する。【解決手段】扉取付枠１の上枠部１ａ側に上下動自在な主軸１３を備えたトップピボット６を設けるとともに、扉３上端側に前記主軸１３を嵌入させる筒状の軸受１４を設けて扉３上端を回転自在に支持するようにした扉の回転支持装置であって、前記トップピボット６の基板７には一端近傍部が水平な軸８で枢支されたアーム９を備えるとともに、このアーム９の一端に円弧状に歯部９ａが形成され、この歯部９ａと噛み合うようにウオーム１０が鉛直方向に設けられ、前記主軸１３は前記アーム９の他端と係合するように設けられ、前記ウオーム１０を下端部側より回すことによりアーム９を前記軸８の周りで回動させて主軸１３を上下動させるように構成した。【選択図】    図３
2005248635.tif 000002
【特許請求の範囲】
【請求項１】
扉取付枠側または扉上端側の一方に上下動自在な主軸を備えたトップピボットを設けるとともに、他方に前記主軸を嵌入させる筒状の軸受を設けて扉上端を回転自在に支持するようにした扉の回転支持装置であって、前記トップピボットの基板には一端近傍部が水平な軸で枢支されたアームを備えるとともに、このアームの一端に円弧状に歯部が形成され、この歯部と噛み合うようにウオームが鉛直方向に設けられ、前記主軸は前記アームの他端と係合するように設けられ、前記ウオームを端部側より回すことによりアームを前記軸の周りで回動させて主軸を上下動させるように構成してなることを特徴とする扉の回転支持装置。
【発明の詳細な説明】
【技術分野】
【０００１】
本発明は、扉の回転支持装置に関するものである。
【背景技術】
【０００２】
従来のこの種扉の回転支持装置としては、例えば特許文献１に開示されているように、扉取付枠側または扉上端側の一方に設けたトップピボットは、一端近傍部が水平な軸で枢支されたアームと、このアームの一端に係合され上枠部下面より操作可能なねじ軸を備え、このねじ軸の操作によりアームの他端を下動させてアームの他端に取り付けられた主軸を下動させるように構成され、この主軸を下動させることにより主軸を扉の上端内部に設けた筒状の軸受に嵌入させるようにした扉の取付構造が知られている。
【特許文献１】実用新案登録第２５０２２６３号公報
【発明の開示】
【発明が解決しようとする課題】
【０００３】
上記した従来の扉の取付構造では、上枠部下面より操作可能なねじ軸とアームの一端とは円弧面で遊びを持って係合させる必要があり、つまりねじ軸を操作することによりアームが水平な軸の周りで回動させなければならず、そのときアームの一端が円弧の軌跡上を動作する必要性から鉛直方向に向くねじ軸の上端とアームとの係合部に遊びを持たせなくてはならず、ねじ軸に対してアームの一端ががたつきのある結合状態にあるため、アームの他端側の主軸も上下方向にがたつきを生じ、扉の上端内部に設けた軸受に対する主軸の嵌合が浅いとがたつきによって主軸が軸受から抜け出て、扉が上枠部から外れるという危険性があった。
【０００４】
本発明の目的は、このような課題を解決するものであり、主軸の上下方向のがたつきをなくし、扉を安全に支持できるようにした扉の回転支持装置を提供することにある。
【課題を解決するための手段】
【０００５】
本発明の請求項１に記載の扉の回転支持装置は、扉取付枠側または扉上端側の一方に上下動自在な主軸を備えたトップピボットを設けるとともに、他方に前記主軸を嵌入させる筒状の軸受を設けて扉上端を回転自在に支持するようにした扉の回転支持装置であって、前記トップピボットの基板には一端近傍部が水平な軸で枢支されたアームを備えるとともに、このアームの一端に円弧状に歯部が形成され、この歯部と噛み合うようにウオームが鉛直方向に設けられ、前記主軸は前記アームの他端と係合するように設けられ、前記ウオームを端部側より回すことによりアームを前記軸の周りで回動させて主軸を上下動させるように構成してなることを特徴とする。
【発明の効果】
【０００６】
以上のように、本発明の扉の回転支持装置は、アームの一端の歯部がアームを上下動させるために回転するウオームに直接噛み合っており、前記従来例で述べたようなねじ軸の上端とアームとの係合部に遊びを持たせることにより、ねじ軸に対してアームの一端ががたつきのある結合状態となっているものの問題点、即ち扉の上端内部に設けた軸受に対する主軸の嵌合が浅いとがたつきによって主軸が軸受から抜け出て、扉が上枠部から外れるという危険性があるという問題点を解決でき、主軸の上下方向のがたつきをなくし、扉を安全に支持できるものである。
【発明を実施するための最良の形態】
【０００７】
以下、本発明の一実施の形態を、図１〜図４に基づいて説明する。
図において、１は建物側に形成された扉取付枠で、この扉取付枠１で囲まれる出入口部２を開閉するために扉取付枠１内に扉３が鉛直軸心の周りで回動自在に設けられている。
【０００８】
詳しくは、扉３の幅方向一端近傍における下端は床面に埋設された自動閉塞機構を内蔵するフロアヒンジ４の軸５により下端部が支持され、扉３の上端はトップピボット６を以って支持されている。トップピボット６は扉取付枠１の上枠部１ａに上枠部１ａから上方に突出するように基板７が上枠部１ａにねじ止めにより支持されており、基板７上には一端近傍部が水平な軸８で枢支されたアーム９を備えるとともに、このアーム９の一端に円弧状に形成された歯部９ａと噛み合うようにウオーム１０が鉛直方向に立設されている。ウオーム１０は下端軸部１０ａが前記基板７に形成された孔部７ａに嵌入するとともに上端軸部１０ｂが基板７上にウオーム１０を包むように溶接にて設けたケーシング１１の上端板部１１ａの孔部１１ｂに嵌入して鉛直軸心の周りで回転可能に支持されている。なお、ウオーム１０の下端軸部１０ａの下面には−溝１０ａ´が形成され、扉３を開いた状態において上枠部１ａの下方よりドライバーなどの治具を−溝１０ａ´に係合させてウオーム１０を回すことができるようになっている。また、前記基板７上には筒状のガイド１２が立設され、このガイド１２内には前記アーム９の他端と係合する主軸１３が設けられ、前記ウオーム１０を回すことによりウオーム１０と係合するアーム９を軸８の周りで回動させて主軸１３をガイド１２内で上下動させるように構成されている。
【０００９】
前記扉３の幅方向一端近傍における上端内部には筒状の軸受１４が設けられ、前記ウオーム１０を時計方向に回してアーム９を下動させることにより主軸１３が軸受１４内部に嵌入して扉３の上端を支持するものである。
【００１０】
ところで、以上述べた実施の形態では主軸１３を軸受１４内部に嵌入させて扉３の上端を支持するものであるが、主軸１３を軸受１４内部に嵌入させると同時に主軸１３側の雌型コネクターと軸受１４側の雄型コネクターとが接続される扉の回転支持装置にも実施できるものである。
【００１１】
また、以上述べた実施の形態ではトップピボット６を扉取付枠１の上枠部１ａ側に設け、軸受１４を扉３の上端内部側に設けているが、逆に設けても良い。
以上のように本実施の形態の扉の回転支持装置によれば、アーム９の一端の歯部９ａがウオーム１０に直接噛み合っており、前記従来例で述べたようなねじ軸の上端とアームとの係合部に遊びを持たせることにより、ねじ軸に対してアームの一端ががたつきのある結合状態となっているものの問題点、即ち扉の上端内部に設けた軸受に対する主軸の嵌合が浅いとがたつきによって主軸が軸受から抜け出て、扉が上枠部から外れるという危険性があるという問題点を解決でき、主軸の上下方向のがたつきをなくし、扉を安全に支持できるものである。
【図面の簡単な説明】
【００１２】
【図１】本発明の一実施の形態の扉の回転支持装置のトップピボットの斜視図である。
【図２】同扉支持前の状態における扉の回転支持装置の要部を示す一部切り欠き正面図である。
【図３】同扉支持状態における扉の回転支持装置の要部を示す一部切り欠き正面図である。
【図４】同扉支持状態における一部切り欠き全体正面図である。
【符号の説明】
【００１３】
１        扉取付枠
１ａ      上枠部
２        出入口部
３        扉
４        フロアヒンジ
５        軸
６        トップピボット
７        基板
７ａ      孔部
８        軸
９        アーム
９ａ      歯部
１０        ウオーム
１０ａ      下端軸部
１０ａ´    −溝
１０ｂ      上端軸部
１１        ケーシング
１１ａ      上端板部
１１ｂ      孔部
１２        ガイド
１３        主軸
１４        軸受
【図１】
2005248635.tif 000003
【図２】
2005248635.tif 000004
【図３】
2005248635.tif 000005
【図４】
2005248635.tif 000006